(57)【要約】  本件発明は、ユーザビリティーの低下を抑制しつつ、省電力化を図ることが可能な情報処理装置を提供することを目的とする。ＨＴＭＬ解析部（１０３）は、複数の要素で構成される構造化情報を解析して、構造化情報を表示する表示領域内の各要素の配置を示すレイアウト情報を作成する。表示制御部（１０５）は、レイアウト情報にて示される配置で各要素を表示画面に表示することで、構造化情報を表示画面に表示する。光源制御部（１０７）は、レイアウト情報と、構造化情報の要素の種類のうち、所定の種類を示す種類情報とを用いて、表示画面を照らす複数の光源の点灯状態を制御する。
2013099402.tif 000002
【特許請求の範囲】
【請求項１】
表示画面と、  前記表示画面内の異なる領域を照らす複数の光源と、  複数の要素で構成される構造化情報を解析して、前記構造化情報を表示する表示領域内の各要素の配置を示すレイアウト情報を作成する解析部と、  前記レイアウト情報にて示される配置で各要素を前記表示画面に表示することで、前記構造化情報を前記表示画面に表示する表示制御部と、  前記レイアウト情報と、前記要素の種類のうちの所定の種類を示す種類情報とを用いて、各光源の点灯状態を制御する光源制御部と、を有する情報処理装置。
【請求項２】
前記種類情報を予め格納しておく格納部をさらに有する、請求項１に記載の情報処理装置。
【請求項３】
前記構造化情報は、前記種類情報を含む、請求項１に記載の情報処理装置。
【請求項４】
前記光源制御部は、  前記レイアウト情報および前記種類情報を用いて、前記表示画面内の前記所定の種類に該当する要素が表示されている対象領域を特定する領域決定部と、  前記複数の光源のうち、前記対象領域を照らす対象光源の点灯状態を制御するディスプレイ制御部と、を有する、請求項１ないし３のいずれか１項に記載の情報処理装置。
【請求項５】
前記ディスプレイ制御部は、前記対象光源を消灯させる、請求項４に記載の情報処理装置。
【請求項６】
前記ディスプレイ制御部は、前記対象光源の輝度を下げる、請求項４に記載の情報処理装置。
【請求項７】
前記表示領域を決定するための装置状態を監視する監視部をさらに有し、  前記表示制御部は、前記装置状態に応じて前記表示領域を決定し、当該表示領域内に前記配置で各要素を表示し、  前記領域決定部は、前記装置状態をさらに用いて、前記対象領域を特定する、請求項４ないし６のいずれか１項に記載の情報処理装置。
【請求項８】
前記情報処理装置の電力源である二次電池と、  前記二次電池の蓄電量を測定する電源制御部と、をさらに有し、  前記光源制御部は、前記蓄電量をさらに用いて、各光源の点灯状態を制御する、請求項１ないし７のいずれか１項に記載の情報処理装置。
【請求項９】
表示画面と、前記表示画面内の異なる領域を照らす複数の光源とを有する情報処理装置による光源制御方法であって、  複数の要素で構成される構造化情報を解析して、前記構造化情報を表示する表示領域内の各要素の配置を示すレイアウト情報を作成し、  前記レイアウト情報にて示される配置で各要素を前記表示画面に表示することで、前記構造化情報を前記表示画面に表示し、  前記レイアウト情報と、前記要素の種類のうち所定の種類を示す種類情報とを用いて、各光源の点灯状態を制御する、光源制御方法。
【請求項１０】
表示画面と、前記表示画面内の異なる領域を照らす複数の光源とに接続されたコンピュータに、  複数の要素で構成される構造化情報を解析して、前記構造化情報を表示する表示領域内の各要素の配置を示すレイアウト情報を作成する手順と、  前記レイアウト情報にて示される配置で各要素を前記表示画面に表示することで、前記構造化情報を前記表示画面に表示する手順と、  前記レイアウト情報と、前記要素の種類のうち所定の種類を示す種類情報とを用いて、各光源の点灯状態を制御する手順と、を実行させるためのプログラム。
【発明の詳細な説明】
【技術分野】
【０００１】  本発明は、表示部を有する情報処理装置に関する。
【背景技術】
【０００２】  携帯情報端末や携帯電話端末のような情報処理装置の分野では、省電力化が課題となっている。情報処理装置に備わった一般的な省電力機能としては、情報処理装置に対して一定時間操作がなかった場合に、ディスプレイを消灯させる機能が知られている。しかしながら、このような省電力機能では、情報処理装置が操作されている場合には、省電力化を図ることができないという問題がある。【０００３】  これに対して、特許文献１には、ＷＷＷサーバに格納されているＨＴＭＬ（HyperText  Markup  Language）文書から、ＪａｖａＳｃｒｉｐｔ（登録商標）タグやＡｐｐｌｅｔタグが削除されることで、Ｗｅｂ用携帯電話端末用文書が生成され、携帯電話端末が、ＨＴＭＬ文書の代わりに、Ｗｅｂ用携帯電話端末用文書を表示するモバイルイントラネットシステムが記載されている。【０００４】  特許文献１に記載のモバイルイントラネットシステムでは、携帯電話端末は、ＪａｖａＳｃｒｉｐｔタグのようなＡｐｐｌｅｔタグで指定されているプログラムなどを動作させなくてもよくなるため、使用中の情報処理装置に対しても省電力化を図ることが可能になる。
【先行技術文献】
【特許文献】
【０００５】
【特許文献１】特開２００１−３３７８８７号公報
【発明の概要】
【発明が解決しようとする課題】
【０００６】  しかしながら、特許文献１に記載のモバイルイントラネットシステムでは、ＪａｖａＳｃｒｉｐｔタグやＡｐｐｌｅｔタグが削除されてしまうため、表示情報のレイアウトが変化してしまう。このため、表示情報を表示する情報処理装置に応じてレイアウトが変化してしまい、ユーザビリティーが低下する。【０００７】  例えば、ＨＴＭＬ文章をブラウザを用いて表示する場合、ＨＴＭＬ文書からＪａｖａＳｃｒｉｐｔタグやＡｐｐｌｅｔタグなどのタグが削除されると、ブラウザのウィンドウ内において、そのタグで指定された領域がなくなってしまうので、ＨＴＭＬ文章のレイアウトが変化してしまう。【０００８】  なお、通常、プログラムなどを動作させるための電力は、ディスプレイを照らすための電力に比べて小さいため、特許文献１に記載のモバイルイントラネットシステムでは、省電力効果が低いという問題もある。【０００９】  本発明の目的は、ユーザビリティーの低下を抑制しつつ、省電力化を図ることが可能な情報処理装置、光源制御方法およびプログラムを提供することである。
【課題を解決するための手段】
【００１０】  本発明による情報処理装置は、表示画面と、前記表示画面内の異なる領域を照らす複数の光源と、複数の要素で構成される構造化情報を解析して、前記構造化情報を表示する表示領域内の各要素の配置を示すレイアウト情報を作成する解析部と、前記レイアウト情報にて示される配置で各要素を前記表示画面に表示することで、前記構造化情報を前記表示画面に表示する表示制御部と、前記レイアウト情報と、前記要素の種類のうちの所定の種類を示す種類情報とを用いて、各光源の点灯状態を制御する光源制御部と、を有する。【００１１】  また、本発明による光源制御方法は、表示画面と、前記表示画面内の異なる領域を照らす複数の光源とを有する情報処理装置による光源制御方法であって、複数の要素で構成される構造化情報を解析して、前記構造化情報を表示する表示領域内の各要素の配置を示すレイアウト情報を作成し、前記レイアウト情報にて示される配置で各要素を前記表示画面に表示することで、前記構造化情報を前記表示画面に表示し、前記レイアウト情報と、前記要素の種類のうち所定の種類を示す種類情報とを用いて、各光源の点灯状態を制御する。【００１２】  また、本発明によるプログラムは、表示画面と、前記表示画面内の異なる領域を照らす複数の光源とに接続されたコンピュータに、複数の要素で構成される構造化情報を解析して、前記構造化情報を表示する表示領域内の各要素の配置を示すレイアウト情報を作成する手順と、前記レイアウト情報にて示される配置で各要素を前記表示画面に表示することで、前記構造化情報を前記表示画面に表示する手順と、前記レイアウト情報と、前記要素の種類のうち所定の種類を示す種類情報とを用いて、各光源の点灯状態を制御する手順と、を実行させる。
【発明の効果】
【００１３】  本発明によれば、レイアウトが保たれたまま光源の点灯制御が行われるため、ユーザビリティーの低下を抑制しつつ、省電力化を図ることが可能になる。
【図面の簡単な説明】
【００１４】
【図１】本発明の第１の実施形態の情報処理装置の概観を示す概観図である。
【図２】本発明の第１の実施形態の情報処理装置の機能的な構成を示すブロック図である。
【図３】光源の配置例を示す図である。
【図４】本発明の第１の実施形態の情報処理装置の動作を説明するためのシーケンス図である。
【図５】本発明の第２の実施形態の情報処理装置の機能的な構成を示すブロック図である。
【発明を実施するための形態】
【００１５】  以下、本発明の実施形態について図面を参照して説明する。なお、以下の説明では、同じ機能を有するものには同じ符号を付け、その説明を省略する場合がある。
【００１６】  図１は、本発明の第１の実施形態の情報処理装置の概観を示す概観図である。図１において、情報処理装置１００は、種々の情報を表示する表示画面１を有する。なお、図１に示す情報処理装置１００としては、携帯情報端末、スマートフォンおよび携帯電話端末などが挙げられるが、これらの例に限らず適宜変更可能である。
【００１７】  図２は、情報処理装置１００の機能的な構成を示すブロック図である。図２において、情報処理装置１００は、表示部１０１と、通信部１０２と、ＨＴＭＬ解析部１０３と、状態監視部１０４と、表示制御部１０５と、格納部１０６と、光源制御部１０７とを有する。
【００１８】  表示部１０１は、図１に示した表示画面１と、表示画面１内の異なる領域を照らす複数の光源とを備える。
【００１９】  図３は、光源の配置例を示す図である。図３では、複数の光源２が表示画面１の背面にマトリックス状に配置されている。なお、光源２は、表示画面１の１画素ごとに設けられてもよいし、複数の画素に対して共通に設けられていてもよい。また、光源２の配置は図３で示した配置に限らず、適宜変更可能である。
【００２０】  図２の説明に戻る。通信部１０２は、ＷＥＢサーバなどの外部装置（図示せず）と通信を行う。本実施形態では、通信部１０２は、ＷＥＢサーバから、ＨＴＭＬ（HyperText  Markup  Language）で記述されたＨＴＭＬ情報を受信する。ＨＴＭＬ情報は、複数の要素を含む構造化情報の一種であり、タグと呼ばれる、要素を特定する識別情報を有している。
【００２１】  ＨＴＭＬ解析部１０３は、通信部１０２が受信したＨＴＭＬ情報を解析して、ＨＴＭＬ情報を表示する表示領域における各要素の配置を示すレイアウト情報を作成する。
【００２２】  状態監視部１０４は、通信部１０２が受信したＨＴＭＬ情報を表示する表示領域の大きさおよび向きを決定するための、情報処理装置１００の装置状態を監視する。
【００２３】  装置状態としては、表示画面１のサイズや形状のような情報処理装置１００に固有の装置情報、情報処理装置１００の姿勢、および、ＨＴＭＬ情報の表示に関する設定情報などが挙げられる。
【００２４】  情報処理装置１００の姿勢は、例えば、図１のＹ軸方向のような表示画面１内の所定方向と鉛直方向の成す角度などで表される。なお、状態監視部１０４は、例えば、加速度センサなどのセンサ（図示せず）を備え、そのセンサを用いて情報処理装置１００の姿勢を検出する。
【００２５】  設定情報は、例えば、ＨＴＭＬ情報を表示画面１全体に表示する全画面モードや、ＨＴＭＬ情報を所定のウィンドウ内に表示するウィンドウモードなどの表示モードを示す。なお、全画面モードでは、表示画面１全体がＨＴＭＬ情報の表示領域となり、ウィンドウモードでは、ウィンドウ内がＨＴＭＬ情報の表示領域となる。
【００２６】  また、設定情報は、ウィンドウモード時のウィンドウの位置や大きさ、および、情報処理装置１００の姿勢とＨＴＭＬ情報の表示領域の向きとの関係などをさらに示してもよい。
【００２７】  表示制御部１０５は、ＨＴＭＬ解析部１０３にて作成されたレイアウト情報と、状態監視部１０４の監視結果とに基づいて、ＨＴＭＬ情報を表示画面１に表示する。
【００２８】  より具体的には、表示制御部１０５は、装置状態に基づいて、ＨＴＭＬ情報の表示領域の大きさおよび向きを決定し、その決定された表示領域内にレイアウト情報にて示される配置で、ＨＴＭＬ情報内の各要素を表示する。
【００２９】  格納部１０６は、ＨＴＭＬ情報の各要素の種類のうち、所定の種類を示す種類情報を格納する。種類情報は、例えば、画像の表示を表すイメージタグ＜ｉｍｇ＞、ＪａｖａＳｃｒｉｐｔタグのようなＡｐｐｌｅｔタグや、広告情報を表示するタグなどを示す。また、種類情報は、予め設定されていてもよいし、情報処理装置１００を使用するユーザにて設定されてもよい。
【００３０】  光源制御部１０７は、ＨＴＭＬ解析部１０３にて作成されたレイアウト情報と、状態監視部１０４の監視結果と、格納部１０６に格納されている種類情報とに基づいて、表示部１０１の各光源２の点灯状態を制御する。
【００３１】  より具体的には、光源制御部１０７は、対象領域決定部１０７Ａと、ディスプレイ制御部１０７Ｂとを備え、各部が以下の処理を行う。
【００３２】  対象領域決定部１０７Ａは、ＨＴＭＬ解析部１０３にて作成されたレイアウト情報と、状態監視部１０４の監視結果と、格納部１０６に格納されている種類情報とに基づいて、ＨＴＭＬの表示領域のうち、種類情報が示す所定の種類の要素が表示される領域を対象領域として決定する領域決定部である。
【００３３】  ディスプレイ制御部１０７Ｂは、表示部１０１の複数の光源のうち、対象領域決定部１０７Ｂにて決定された対象領域を照らす対象光源を消灯させる。例えば、ディスプレイ制御部１０７Ｂは、表示画面１内の領域とその領域を照らす光源との対応関係を示すテーブルを保持しておき、そのテーブルを用いて、対象領域を照らす対象光源を特定し、その特定して対象光源を消灯させる。
【００３４】  なお、ディスプレイ制御部１０７Ｂは、対象光源を消灯させるのではなく、対象光源の輝度を低下させてもよい。
【００３５】  次に情報処理装置１００の動作を説明する。
【００３６】  図４は、情報処理装置１００の動作を説明するためのシーケンス図である。
【００３７】  先ず、ＷＥＢサーバからＨＴＭＬ情報が送信される（ステップＳ４０１）。通信部１０２は、ＨＴＭＬ情報を受信すると、そのＨＴＭＬ情報をＨＴＭＬ解析部１０３に出力する（ステップＳ４０２）。
【００３８】  ＨＴＭＬ解析部１０３は、ＨＴＭＬ情報を受け付けると、そのＨＴＭＬ情報を解析して、ＨＴＭＬ情報の各要素の配置を示すレイアウト情報を決定する（ステップＳ４０３）。そして、ＨＴＭＬ解析部１０３は、レイアウト情報およびＨＴＭＬ情報を含む表示要求を生成し、その表示要求を表示制御部１０５に出力する（ステップＳ４０４）。
【００３９】  表示制御部１０５は、表示要求を受け付けると、端末状態を取得する旨の取得要求を状態監視部１０４に出力する（ステップＳ４０５）。状態監視部１０４は、取得要求を受け付けると、現在の監視結果である装置状態を表示制御部１０５に出力する（ステップＳ４０６）。表示制御部１０５は、装置状態を受け付けると、その装置状態と、表示要求に含まれるレイアウト情報とに基づいて、ＨＴＭＬ情報を表示画面１に表示する（ステップＳ４０７）。
【００４０】  また、ステップＳ４０４で表示要求を出力すると、ＨＴＭＬ解析部１０３は、レイアウト情報を対象領域決定部１０７Ａに出力する（ステップＳ４０８）。
【００４１】  対象領域決定部１０７Ａは、レイアウト情報を受け付けると、端末状態を取得する旨の取得要求を状態監視部１０４に出力する（ステップＳ４０９）。状態監視部１０４は、取得要求を受け付けると、現在の監視結果である装置状態を対象領域決定部１０７Ａに出力する（ステップＳ４１０）。
【００４２】  対象領域決定部１０７Ａは、装置状態を受け付けると、格納部１０６に格納されている種類情報が示す所定の種類を確認し、レイアウト情報および端末状態に基づいて、所定の種類の要素が表示されている対象領域を特定する（ステップＳ４１１）。そして、対象領域決定部１０７Ａは、その対象領域を消灯する旨の部分消灯要求をディスプレイ制御部１０７Ｂに出力する（ステップＳ４１２）。
【００４３】  ディスプレイ制御部１０７Ｂは、部分消灯要求を受け付けると、その部分消灯要求内の対象領域を照らす対象光源を特定し、その対象光源を消灯させる（ステップＳ４１３）。
【００４４】  なお、以上の動作では、ステップＳ４０９〜Ｓ４１１において、対象領域決定部１０７Ａは、状態監視部１０４から装置状態を取得していたが、表示制御部１０５がステップＳ４０７で受け付けた装置状態を対象領域決定部１０７Ａに出力してもよい。
【００４５】  以上説明したように本実施形態によれば、構造化情報のレイアウトである各要素の配置を示すレイアウト情報と、所定の種類を示す種類情報とが用いられて複数の光源２のそれぞれの点灯状態が制御されるので、レイアウトを変更せずに、省電力を図ることが可能になる。したがって、ユーザビリティーの低下を抑制しつつ、省電力化を図ることが可能になる。
【００４６】  また、本実施形態では、所定の種類の要素が表示されている対象領域を照らす対象光源が消灯されたり、その対象光源の輝度が下げられたりするので、重要度の低い要素や、ユーザが所望する要素のみを暗くすることが可能になり、ユーザビリティーの低下をより正確に抑制することが可能になる。
【００４７】  また、本実施形態では、装置情報に応じて構造化情報の表示領域が変化しても、所定の種類の要素が表示されている対象領域を照らす対象光源を制御することが可能になる。
【００４８】  次に第二の実施形態について説明する。
【００４９】  図５は、本実施形態の情報処理装置１００の機能的な構成を示すブロック図である。図５に示す情報処理装置１００は、図２に示した構成に加えて、二次電池２０１と、電源制御部２０２とをさらに有する。
【００５０】  二次電池２０１は、外部電源（図示せず）などから供給された電力を蓄電し、その蓄電された電力を情報処理装置１００の各部に供給して、各部を動作させる電力源である。
【００５１】  電源制御部２０２は、二次電池２０１の充放電を制御する。また、電源制御部２０２は、二次電池２０１に蓄えられている電力量である蓄電量を測定する。
【００５２】  また、本実施形態の光源制御部１０７は、レイアウト情報、装置状態および種類情報に加えて、電源制御部２０２にて測定された蓄電量をさらに用いて、各光源の点灯状態を制御する。
【００５３】  より具体的には、光源制御部１０７に含まれる対象領域決定部１０７が、蓄電量が予め定められた閾値以下か否かを判断し、蓄電量が閾値以下の場合に、対象領域を決定する。このため、蓄電量が閾値以下の場合に、所定の種類の要素を照らす対象光源が消灯されることになる。
【００５４】  本実施形態によれば、蓄電量がさらに用いられて光源の点灯状態が制御されるので、蓄電量が低下したときだけ、表示画面の一部を暗くすることが可能になり、ユーザビリティーの低下をより正確に抑制することが可能になる。
【００５５】  以上説明した各実施形態において、図示した構成は単なる一例であって、本発明はその構成に限定されるものではない。
【００５６】  例えば、光源制御部１０７は、通信部１０２が受信したＨＴＭＬ情報を表示する際に、光源２の点灯状態を制御していたが、情報処理装置１００に格納されているＨＴＭＬ情報を表示する際に光源２の点灯状態を制御してもよい。
【００５７】  また、構造化情報としてＨＴＭＬ情報を例にとって説明したが、構造化情報はＨＴＭＬ情報に限らず適宜変更可能である。例えば、構造化情報は、複数の要素を含む文章情報やプレゼンテーション用情報などでもよい。この場合、構造化情報に含まれるヘッダ、フッダ、本文および画像などが構造化情報の各要素となる。
【００５８】  また、情報処理装置１００は、光源制御部１０７による点灯制御を有効にするモードと、光源制御部１０７による点灯制御を無効にするモードとを備え、ユーザが設定画面などを用いて、これらのモードを切り替えられるようにしてもよい。
【００５９】  また、光源制御部１０７による点灯制御は、アプリケーションプログラムにて実行されてもよい。例えば、アプリケーションプログラムが光源制御部１０７の機能に対応するＡＰＩ（Application  Program  Interface）を発行することで、そのアプリケーションプログラムの表示情報の一部の消灯または輝度低下を実行する。
【００６０】  また、構造化情報内に種類情報が含まれていてもよい。例えば、種類情報として機能する特定のＨＴＭＬタグを定義してもよい。この場合、ＷＥＢサイトの作成者は、特定のＴＨＭＬタグを用いることで、ＨＴＭＬ情報内の重要度の低い部分の輝度を下げて、重要度の高い部分を目立たせることができる。
【００６１】  また、光源２としては、有機ＥＬ（Organic  Electro-Luminescence：ＯＥＬ）のような自発光型の光源が用いられてもよい。
【００６２】  また、情報処理装置１００の機能は、その機能を実現するためのプログラムを、コンピュータにて読み取り可能な記録媒体に記録して、この記録媒体に記録されたプログラムをコンピュータに読み込ませ実行させることで、実現されてもよい。
【００６３】  この出願は、２０１１年１２月２６日に出願された日本出願特願２０１１−２８３８２４号公報を基礎とする優先権を主張し、その開示の全てをここに取り込む。
【符号の説明】
【００６４】  １        表示画面  ２        光源  １００    情報処理装置  １０１    表示部  １０２    通信部  １０３    ＨＴＭＬ解析部  １０４    状態監視部  １０５    表示制御部  １０６    格納部  １０７    光源制御部  １０７Ａ  対象領域決定部  １０７Ｂ  ディスプレイ制御部  ２０１    二次電池  ２０２    電源制御部
【図１】
2013099402.tif 000003
【図２】
2013099402.tif 000004
【図３】
2013099402.tif 000005
【図４】
2013099402.tif 000006
【図５】
2013099402.tif 000007
【国際調査報告】
2013099402.tif 000008
2013099402.tif 000009
2013099402.tif 000010
2013099402.tif 000011